(57)【特許請求の範囲】
【請求項１】
衣服であって
布地部分と、
前記布地部分とつながっている装置保持要素と、
前記布地部分とつながっている伸縮性のハーネスであって、前記ハーネスが導電性要素を含み、前記導電性要素が、前記装置保持要素に対する第１終端点、及び第２終端点を有する、ハーネスと、
前記第２終端点に接続するセンサであって、前記センサが、前記衣服の着用者の生理学的データを感知するように構成された、センサと、を含み、
前記センサが、着用者の胴体、背中、横腹、または首に対応するように構成された前記布地部分の領域に配置され、
前記ハーネスが、帯状であり、かつ前記衣服の後面に設けられた前記第１終端点から、前記衣類の肩領域を通って、前記衣服の前面に設けられた前記第２終端点まで伸びている、衣服。
【請求項２】
請求項１に記載の衣類において、前記ハーネスは、ハーネスガイド部分を含む、衣類。
【請求項３】
請求項２に記載の衣類において、前記ハーネスガイド部分は、複数の層を含む、衣類。
【請求項４】
請求項３に記載の衣類において、前記導電性要素は、前記ハーネスガイド部分の前記複数の層の間に配置される、衣類。
【請求項５】
請求項１〜４のいずれか一項に記載の衣類において、前記ハーネスは、前記布地部分の表面と一体化するか、または前記布地部分の上に配置される、衣類。
【請求項６】
請求項１〜５のいずれか一項に記載の衣類において、前記ハーネスは、前記布地部分の内側表面上、または前記布地部分の内側表面に隣接して配置される、衣類。
【請求項７】
請求項１〜５のいずれか一項に記載の衣類において、前記ハーネスは、前記布地部分の外側表面上、または前記布地部分の外側表面に隣接して配置される、衣類。
【請求項８】
請求項１〜７のいずれか一項に記載の衣類において、前記導電性要素は、前記センサと、モニタ装置とを接続するように構成される、衣類。
【請求項９】
請求項８に記載の衣類において、前記導電性要素は、前記センサから前記モニタ装置にデータを送信するように構成される、衣類。
【請求項１０】
請求項８又は９に記載の衣類において、前記第１終端点は、前記モニタ装置に対応する、衣類。
【請求項１１】
請求項１〜１０のいずれか一項に記載の衣類において、各終端点は、単一または複数の接続端子を含む、衣類。
【請求項１２】
請求項１〜１１のいずれか一項に記載の衣類において、前記導電性要素は、伸縮性絶縁材料で被覆された伸縮性ワイヤーである、衣類。
【請求項１３】
請求項１２に記載の衣類において、前記伸縮性絶縁材料は、前記ハーネスの役割を果たす、衣類。
【請求項１４】
請求項１２又は１３に記載の衣類において、前記伸縮性絶縁材料は、固定ポイントにおいて前記布地部分に固定されている、衣類。
【請求項１５】
請求項１４に記載の衣類において、前記固定ポイントは、前記導電性要素の経路を定める、衣類。
【請求項１６】
請求項１４又は１５に記載の衣類において、前記導電性要素は、前記固定ポイントにおいて布地部分に固定されることにより、前記終端点に導かれる、衣類。
【請求項１７】
請求項１〜１６のいずれか一項に記載の衣類において、前記導電性要素は、前記衣服の継ぎ目に縫い込まれたワイヤーである、衣類。
【請求項１８】
請求項１〜１６のいずれか一項に記載の衣類において、前記導電性要素は、個別のポイントにおいて前記布地部分につながれたワイヤーである、衣類。
【請求項１９】
請求項１〜１８のいずれか一項に記載の衣類において、前記衣類は、さらに前記導電性要素を被覆する絶縁ジャケットを含む、衣類。
【請求項２０】
請求項１〜１９のいずれか一項に記載の衣類において、前記ハーネスは、前記布地部分につながれているか、または前記布地部分と一体化されている、経路を定義し、前記導電性要素は、前記経路を通って伸びる、衣類。
【請求項２１】
請求項２０に記載の衣類において、前記経路は、前記布地部分に対して、結合、接着、縫合、ポイントにおける接続、個別のポイントにおける縫い付け、超音波溶接、またはジグザグ縫いにより、接続される、衣類。
【請求項２２】
請求項２０又は２１に記載の衣類において、前記経路は、織物または布地材料で形成される、衣類。
【請求項２３】
請求項１〜２２のいずれか一項に記載の衣類において、前記導電性要素は、前記終端点においてモニター装置または前記センサを含む、取り外し可能接続要素と接続されるように構成される、衣類。
【請求項２４】
請求項２３に記載の衣類において、前記導電性要素は、プラグ、クリップ、スナップまたはラッチにより、前記取り外し可能接続要素と取り外し可能に接続されるように構成される、衣類。
【請求項２５】
請求項２３又は２４に記載の衣類において、前記導電性要素は、前記取り外し可能接続要素の部品に間接的または直接的に接続される、衣類。
【請求項２６】
請求項１〜２２のいずれか一項に記載の衣類において、前記導電性要素は、モニター装置または前記センサを含む追加要素と取り外し不可能に接続する、衣類。
【請求項２７】
請求項２６に記載の衣類において、
前記ハーネスが、前記布地部分とつながっている第１層と、前記第１層とつながっている第２層とを含み、前記導電性要素が、前記第１層と前記第２層の間に配置され、
前記取り外し不可能な接続は、加熱または超音波溶接により、前記第１層と前記第２層の間で前記導電性要素を前記追加要素に付着させることにより確立される、衣類。
【請求項２８】
請求項２６又は２７に記載の衣類において、前記取り外し不可能な接続は、前記導電性要素と前記追加要素との間に導電性ゲルを適用することにより確立される、衣類。
【請求項２９】
請求項２８に記載の衣類において、前記導電性ゲルは、導電性エポキシまたは導電性粒子を有するシリコーンである、衣類。
【請求項３０】
請求項２６又は２７に記載の衣類において、前記取り外し不可能な接続は、導電性織物により確立される、衣類。
【請求項３１】
請求項１〜３０のいずれか一項に記載の衣類において、前記導電性要素と前記センサとの間に導電性織物の接続を備える、衣類。
【請求項３２】
請求項３１に記載の衣類において、前記導電性織物の接続は、導電性接着剤及び導電性織物を含む、衣類。
【請求項３３】
請求項３２に記載の衣類において、前記導電性織物は、前記導電性要素と前記センサとの間でブリッジの役割を果たす、衣類。
【請求項３４】
請求項３２又は３３に記載の衣類において、前記導電性織物は、縫い付け、接着性フィルム、導電性エポキシ、または導電性接着剤により、前記導電性要素に接続し、接着剤、縫い付け、または導電性エポキシにより、前記センサに接続する、衣類。
【請求項３５】
請求項３２〜３４のいずれか一項に記載の衣類において、前記導電性織物は、金属織物メッシュ、伸縮性導電性ファイバー、硬い導電性メッシュ、導体箔または導電性ポリマーである、衣類。
【請求項３６】
請求項３２〜３５のいずれか一項に記載の衣類において、前記導電性織物は、モニター装置への接続を確立するのに使用されるスナップのヘッドに対応する大きさ及び／または形とされるか、または前記導電性要素への接続を確立するのに使用される導電性接着剤の量に対応する大きさ及び／または形とされる、衣類。
【請求項３７】
請求項３０〜３６のいずれか一項に記載の衣類において、前記導電性要素は導電性の糸であり、前記導電性の糸は、前記導電性織物に接続するための縫糸として使用される、衣類。
【請求項３８】
衣類であって、
布地部分と、
衣服の着用者の背中に近接するように構成された前記布地部分の第１領域とつながっている装置保持要素と、
前記着用者の胴体の右側に近接するように構成された前記布地部分の第２領域とつながっている第１センサと、
前記着用者の胴体の左側に近接するように構成された前記布地部分の第３領域とつながっている第２センサと、
前記布地部分に接着されている帯状のハーネスとを含む衣服であって、前記ハーネスが、
前記第１領域と前記第２領域との間で、前記衣服の後面から前記衣類の肩領域を通って前記衣服の前面まで伸び、第１センサにつながるように構成された第１ハーネス部分と、
前記第１ハーネス部分と前記第３領域との間で伸び、第２センサにつながるように構成された第２ハーネス部分とを含み、
前記第１センサ及び第２センサは、着用者の胴体、背中、横腹、または首に対応するように構成された前記布地部分の領域に配置された、衣服。
【請求項３９】
請求項３８に記載の衣類において、前記第１センサ及び第２センサが、着用者の胴体の側面に近接して配置されるように構成された、衣服。
【請求項４０】
請求項１〜３７のいずれか一項に記載の衣類において、前記センサが、着用者の胴体の側面に近接して配置されるように構成された、衣服。
【発明の詳細な説明】
【技術分野】
【０００１】
本発明は、概してハーネス及び衣服に関し、特に、センサと共に用いるための衣服に関
する。
【背景技術】
【０００２】
運動は、健康的なライフスタイル及び個体（個人）の幸福を維持する上で重要である。
個体が運動するための一般的な方法は、運動活動、例えばスポーツやトレーニングプログ
ラムに参加することである。運動活動のセッションは、例えば、トレーニングセッション
や、例えばサッカーの試合やバスケットボールの試合等の競争するセッションを含み得る
。競争環境または協調環境において運動活動に参加する場合、参加者のパフォーマンスは
、その他の個体のパフォーマンスに依存し得る。例えば、チームスポーツの状況下では、
様々な運動の動き及び試みのパフォーマンスは、チームメートや対戦相手の運動の動き及
び試みによって影響され得る。しばしば、トレーナー（例えばコーチ）がこのような運動
活動をモニタリングしている。
【発明の概要】
【発明が解決しようとする課題】
【０００３】
運動活動に参加している個体または複数の個体のグループを効果的にモニターするため
に、トレーナーまたはその他の個体は、典型的には、例えばスポーツフィールドのサイド
ライン外側から運動活動を見ることにより運動活動の参加者に関する情報を集める。この
ように、運動活動に影響する決定を行うのに用いられる情報は、典型的には、トレーナー
がサイドライン外側から観察したものによって制限される。観察を助けるアシスタントが
トレーナーについている場合もあるし、複数のトレーナーが共同で作業する場合もあるが
、運動活動中に個体のパフォーマンスを効果的に追跡して管理できるように複数の個体を
モニタリングするのは、依然として困難である。
【課題を解決するための手段】
【０００４】
本発明は、ハーネス及びハーネスを含むセンサ衣服を提供する。１つの例示的な実施形
態において、センサ衣服は、布地部分と；布地部分とつながっている装置保持要素と；布
地部分とつながっている伸縮性ハーネスであって、装置保持要素における第１終端点、及
び第２終端点を有する導電性要素を含む、伸縮性ハーネスと；を含む。
【０００５】
別の例示的な実施形態において、ハーネスは、伸縮性第１層と；該第１層とつながって
いる伸縮性第２層と；モニター装置に接続するように構成された第１終端点と、衣服の着
用者の生理学的パラメータを感知するための第１センサに接続するように構成された第２
終端点と、を有する、第１層と第２層の間に配置された伸縮性導電性要素と；を含む、
【０００６】
別の例示的な実施形態において、センサ衣服は、布地部分と；衣服の着用者の背中に近
接するように構成された布地部分の第１領域とつながっている装置保持要素と；着用者の
胴体の右側に近接するように構成された布地部分の第２領域とつながっている第１センサ
と；着用者の胴体の左側に近接するように構成された布地部分の第３領域とつながってい
る第２センサと；布地部分に接着されているハーネスと；を含む。ハーネスは、第１領域
と第２領域との間で伸び、第１センサにつながるように構成された第１ハーネス部分と；
該第１ハーネス部分と第３領域との間で伸び、第２センサにつながるように構成された第
２ハーネス部分と；を含む。
【０００７】
添付の図面は、組み込まれて本明細書の一部をなすが、本発明を説明し、また、記述と
共に本発明の原理を説明し、当業者が本発明を作成及び使用することを可能にするのに役
立つ。図面において、同じ参照文字は、同一または機能的に類似の要素を示す。
【図面の簡単な説明】
【０００８】
【図１】図１は、本発明の例示的な実施形態に従った衣服を裏返しに示した正面斜視図である。
【０００９】
【図２】図２は、本発明の例示的な実施形態に従った衣服の後面斜視図である。
【００１０】
【図３】図３は、本発明の例示的な実施形態に従った衣服の正面斜視図である。
【００１１】
【図４】図４は、本発明の例示的な実施形態に従った図３の衣服の後面斜視図である。
【００１２】
【図５】図５は、本発明の例示的な実施形態に従った衣服の正面斜視図である。
【００１３】
【図６】図６は、本発明の例示的な実施形態に従った図５の衣服の後面斜視図である。
【００１４】
【図７】図７は、本発明の例示的な実施形態に従った衣服の正面斜視図である。
【００１５】
【図８】図８は、本発明の例示的な実施形態に従った図７の衣服の後面斜視図である。
【００１６】
【図９】図９は、本発明の例示的な実施形態に従ったジャージの正面斜視図である。
【００１７】
【図１０】図１０は、本発明の例示的な実施形態に従った図９のジャージの後面斜視図である。
【００１８】
【図１１】図１１は、本発明の例示的な実施形態に従った衣服の正面斜視図である。
【００１９】
【図１２】図１２は、本発明の例示的な実施形態に従った図１１の衣服の後面斜視図である。
【００２０】
【図１３】図１３は、本発明の例示的な実施形態に従った装置保持要素の側断面図である。
【００２１】
【図１４】図１４は、本発明の例示的な実施形態に従った支持要素の拡大側面図である。
【００２２】
【図１５】図１５は、本発明の例示的な実施形態に従った装置保持要素の斜視図である。
【００２３】
【図１６】図１６は、本発明の例示的な実施形態に従ったセンサの斜視図である。
【００２４】
【図１７】図１７は、本発明の例示的な実施形態に従ったハーネス製造技術の斜視図である。
【００２５】
【図１８】図１８は、本発明の例示的な実施形態に従ったハーネス製造技術の側面図である。
【００２６】
【図１９】図１９は、本発明の例示的な実施形態に従った図１８のハーネス製造技術の斜視図である。
【００２７】
【図２０】図２０は、本発明の例示的な実施形態に従った装置保持要素の斜視図である。
【００２８】
【図２１】図２１は、本発明の例示的な実施形態に従った装置保持要素の斜視図である。
【００２９】
【図２２】図２２は、本発明の例示的な実施形態に従った装置保持要素の斜視図である。
【００３０】
【図２３】図２３は、本発明の例示的な実施形態に従った装置保持要素の斜視図である。
【００３１】
【図２４】図２４は、本発明の例示的な実施形態に従った衣服を裏返しに示した正面斜視図である。
【００３２】
【図２５】図２５は、本発明の例示的な実施形態に従った図２４の衣服の後面斜視図である。
【００３３】
【図２６】図２６は、本発明の例示的な実施形態に従ったモニター装置の正面斜視図である。
【００３４】
【図２７】図２７は、本発明の例示的な実施形態に従った図２６のモニター装置の側面斜視図である。
【００３５】
【図２８】図２８は、本発明の例示的な実施形態に従った図２６のモニター装置の後面斜視図である。
【００３６】
【図２９】図２９は、本発明の例示的な実施形態に従った衣服を裏返しに示した正面斜視図である。
【００３７】
【図３０】図３０は、本発明の例示的な実施形態に従った衣服の正面斜視図である。
【００３８】
【図３１】図３１は、本発明の例示的な実施形態に従った図３０の衣服の後面斜視図である。
【００３９】
【図３２】図３２は、本発明の例示的な実施形態に従った衣服の正面斜視図である。
【００４０】
【図３３】図３３は、本発明の例示的な実施形態に従った図３２の衣服の後面斜視図である。
【００４１】
【図３４】図３４は、本発明の例示的な実施形態に従ったセンサの拡大図である。
【００４２】
【図３５】図３５は、本発明の例示的な実施形態に従った衣服の正面斜視図である。
【００４３】
【図３６】図３６は、本発明の例示的な実施形態に従った衣服の後面斜視図である。
【００４４】
【図３７】図３７は、本発明の例示的な実施形態に従った衣服の正面斜視図である。
【００４５】
【図３８】図３８は、本発明の例示的な実施形態に従った衣服の正面斜視図である。
【００４６】
【図３９】図３９は、本発明の例示的な実施形態に従った図３８の衣服の後面斜視図である。
【００４７】
【図４０】図４０は、本発明の例示的な実施形態に従った衣服を裏返しに示した正面斜視図である。
【００４８】
【図４１】図４１は、本発明の例示的な実施形態に従った衣服を裏返しに示した正面斜視図である。
【００４９】
【図４２】図４２は、本発明の例示的な実施形態に従った衣服を裏返しに示した正面斜視図である。
【００５０】
【図４３】図４３は、本発明の例示的な実施形態に従った図４２の衣服を裏返しに示した後面斜視図である。
【００５１】
【図４４】図４４は、本発明の例示的な実施形態に従った衣服を裏返しに示した正面斜視図である。
【００５２】
【図４５】図４５は、本発明の例示的な実施形態に従った衣服の正面斜視図である。
【００５３】
【図４６】図４６は、本発明の例示的な実施形態に従った図４５の衣服の後面斜視図である。
【００５４】
【図４７】図４７は、本発明の例示的な実施形態に従った衣服の後面斜視図である。
【発明を実施するための形態】
【００５５】
以下、添付の図面に例示される実施形態を参照しながら本発明を詳細に説明する。「１
つの実施形態」、「ある実施形態」、「例示的な実施形態」、「いくつかの例示的な実施
形態」等というときは、記載された実施形態が特定の特徴、構造または特性を含み得るが
、全ての実施形態が必ずしもその特定の特徴、構造または特性を含み得るわけではないこ
とを示す。また、このような語句が必ずしも同じ実施形態に言及しているわけではない。
また、特定の特徴、構造または特性がある実施形態に結び付けて記載された場合、はっき
り記載されてあるか否かにかかわらず、他の実施形態と結びつけることによりそのような
特徴、構造または特性に影響を与えることは、当業者の知識の範囲内であることを示して
いる。
【００５６】
本明細書で使用される用語「発明」または「本発明」は、限定しない用語であり、特定
の発明の任意の実施形態に言及することを意図せず、出願に記載されるようにあらゆる可
能な実施形態を包含する。
【００５７】
本発明の例示的な実施形態において、センサ衣服１０が提供される。センサ衣服１０は
、布地部分１００、ハーネス２００及び装置保持要素３００を含み得る。いくつかの例示
的な実施形態において、センサ衣服１０は、少なくとも１つのセンサ４００を含む。図１
〜８、１１、１２、２４、２５、２９〜３３及び３５〜４６は、本発明の例示的な実施形
態に従ったセンサ衣服１０を図示する。
【００５８】
センサ衣服１０は、着用者によって着用されるように適合され得る。センサ４００は、
ハーネス２００の端部に位置して良いが、着用者の生理学的特性またはパフォーマンス特
性を感知し得る。生理学的特性は、着用者の体の状態を示し得る（例えば心拍数、体温、
呼吸速度、水分補給状態）。パフォーマンス特性は、目的のパラメータに関する着用者の
体のパフォーマンスを示し得（例えば速度、向き、方向、加速、位置、疲労、衝撃、効率
）、生理学的特性を考慮に入れても良い。更に、センサ４００は、ハーネス２００経由で
、これらの特性を示すデータをハーネス２００の端部に位置するモニター装置５００に送
信し得る。
【００５９】
モニター装置５００は、データを受信可能な任意の装置であって良い。モニター装置５
００は、様々な操作を実行し得る。例えば、モニター装置５００は、受信したデータを保
存し、それを処理し、またはそれを受信装置に送信しても良い。いくつかの例示的な実施
形態において、モニター装置５００及び受信装置は、それぞれ、共同所有の米国特許出願
番号 号（代理人整理番号２４８３．１８７０００、発明の名称：グループパフォー
マンスをモニタリングするシステム及び方法）に開示された個体モニター及びベースステ
ーションのようなものであり、この開示内容は、その全体を引用することによって本明細
書の一部となす。いくつかの例示的な実施形態において、モニター装置５００は、着用者
の相当な不快感や動作の制限を引き起こさずに、センサ衣服１０の装置保持要素３００を
介して着用者が容易に携帯するのに十分なだけ小さい。
【００６０】
いくつかの例示的な実施形態において、図２６〜２８の例示的な実施形態に示されるよ
うに、モニター装置５００はポッドのような装置であって良く、ユニバーサル・シリアル
・バス（ＵＳＢ）ポート５１０と、少なくとも１つのデータポート５２０と、表示部及び
／またはコントロール５３０と、を含み得る。モニター装置は、電池、位置モジュール、
心拍数モニターモジュール、コントローラー、ユーザーインターフェース、トランシーバ
ー、アンテナ、加速センサモジュール、メモリ、ジャイロスコープモジュール、磁力計モ
ジュール、呼吸モジュール、光センサモジュール、及び温度センサモジュールのうちの少
なくとも１つを更に含み得る。モニター装置５００は、それ自体がこれらのモジュールに
対応するセンサを含んでも良く、またはハーネス２００を介して異なる複数のセンサ４０
０に接続されても良い。本明細書に記載のセンサ及び対応するモジュールは単に例示的な
ものであり、その他のセンサ及びモジュールも本発明の実施形態と共に使用できる。電池
は、モニター装置５００に電力を供給し得る。
【００６１】
データポート５２０は、モニター装置５００への、及びモニター装置５００からの情報
転送を促進し得、後述のハーネス２００の導電性要素２１０の終端点に接続し得る。デー
タポート５２０は、導電性要素２１０に接続するための任意の好適な接続部を含み得る。
いくつかの例示的な実施形態において、データポート５２０は、個々に導電性要素２１０
に接続するように構成された１つ以上の端子（terminal）を含む。いくつかの例示的な実
施形態において、データポート５２０はユニバーサル・シリアル・バス（ＵＳＢ）ポート
であって良い。いくつかの例示的な実施形態において、モニター装置５００のトランシー
バーは、データ送信／受信能力を含んでいて良く、単一の部品または別個の複数の部品を
含んでいて良い。図２６〜２８の例示的な実施形態において、モニター装置５００はポッ
ドのような装置として図示されている。しかし、モニター装置５００は、例えばスマート
フォン、携帯電話、電子書籍リーダー、ＰＤＡ（個体用デジタル補助装置）、またはデー
タの受信及び送信ができるその他の類似の装置等、任意のその他の好適な装置であって良
い。
【００６２】
使用の際、着用者は、運動活動に従事するアスリートであって良いが、パフォーマンス
をモニターする（または別の者がモニターすることを容易にする）ためにセンサ衣服１０
を着用し得る。このようなパフォーマンスを示す生理学的特性及びパフォーマンス特性の
データは、センサ４００において受信され、装置保持要素３００に保持されるモニター装
置５００に（ハーネス２００経由で）送信され、モニター装置５００によって離れた受信
装置に送信され得る。
【００６３】
１つの実施形態において、センサ衣服１０はシャツ（図面に示すような）を含み得る。
いくつかの例示的な実施形態において、センサ衣服１０は、例えばベスト、コンプレッシ
ョンシャツ、サスペンダー、バンド、ストラップ、ショルダーハーネス、圧縮ベース層を
有するシャツ、ジャージ、タンクトップ、ブラジャー、スリーブ、アームバンド、ヘッド
バンド、帽子、チューブ・トップ、ショーツ、ブリーフ、パンツ、靴下、ジャケット、上
着、水着、ウエットスーツ、並びにその他の好適な衣服または衣料及びその一部等の衣服
を含み得る。１つの実施形態において、センサ衣服１０の１つ以上の特徴がフットウェア
に取り入れられて良い。いくつかの例示的な実施形態において、センサ衣服１０は、その
上に別の衣服を着用すること無く着用するように設計されている。いくつかの例示的な実
施形態において、センサ衣服１０は、例えば図９及び１０に示すようなジャージ２０のよ
うな別の衣服を衣服１０の上に着用しつつ着用するように設計されている。
【００６４】
布地部分１００は、センサ衣服１０の形を形成してそれに適合して良く、着用者の体の
任意の部分に適合するように設計されて良い。いくつかの例示的な実施形態において、着
用者は人間であるが、本発明の実施形態は、人間ではない生物にも同様に適用できる。い
くつかの例示的な実施形態において、布地部分１００は、着用者の体にぴったりとフィッ
トするように設計される（すなわち、布地部分１００の内側表面が、予期される体の動作
を通して着用者の体に接触するように設計される）。最適な、または所望のフィット感を
サポートするために、布地部分１００は、弾性部分と共に非弾性部分も含み得る。
【００６５】
図２を参照すると、布地部分１００は、データを受信して（ハーネス２００経由で）デ
ータを受信装置に送信することができるモニター装置５００のような装置を保持するよう
に構成された装置保持要素３００を含み得る。いくつかの例示的な実施形態において、装
置保持要素３００は、センサ衣服１０の着用者の動きのモニター装置５００への影響を最
小限にするために、モニター装置５００を中に入れて適所に保持できるように、モニター
装置５００の大きさ及び形に対応する大きさ及び形にする。後で更に詳しく述べるが、こ
うした影響を最小限にするのを助けるために、例えばバンド３１２やスペーサー要素３４
０等の追加的な要素を使用できる。図２に示すように、装置保持要素３００は布地層１０
０とつながっていて良い。図２は、布地層１００とつながっている装置保持要素３００を
含むセンサ衣服１０の例示的な実施形態を図示する。装置保持要素３００は、例えば一体
化する、接着する、縫い合わす、溶着する、結ぶ、挟む、留める、または取り付ける、あ
るいはこれらやその他の技術の任意の組み合わせにより布地層１００とつながっていて良
い。いくつかの例示的な実施形態において、装置保持要素は布地層１００と一体化して形
成される（例えば、布地層１００を縫い合わせるまたは編むことによりポケットを形成し
ても良い）。
【００６６】
図２の例示的な実施形態において、装置保持要素３００は、布地層１００の外側上に配
置された開口部３２０を有する織物層によって形成されたポケットである。いくつかの例
示的な実施形態において、装置保持要素３００は、布地層１００の内側上に配置された開
口部３２０を有する織物層によって形成されたポケットである。いくつかの例示的な実施
形態において、装置保持要素３００は、布地層１００の内側上に配置された開口部３２０
を有さない織物層によって形成されたポケットである。このような実施形態において、布
地層１００は、布地層１００の外側からのポケットへのアクセスを提供する開口部３２０
を含み得る。いくつかの例示的な実施形態において、装置保持要素３００は、布地層１０
０の外側または内側に取り付けられた、あるいはそこに一体化された完全なポケットであ
る。いくつかの例示的な実施形態において、装置保持要素３００は、織物で形成されるよ
りも、少なくとも一部がその他の材料、例えばプラスチック、ゴム、熱可塑性ポリウレタ
ン、またはネオプレン等で形成される。
【００６７】
図２の例示的な実施形態において、装置保持要素３００は、センサ衣服１０の着用者の
背中上部に対応するように配置される。装置保持要素３００を着用者における高い位置、
例えば背中上部等に対応するように配置することは、モニター装置５００がデータを送信
または受信する際に、装置保持要素３００内のモニター装置５００の干渉を最小限にし、
範囲及び信号強度を最大限にするのに役立ち得る。加えて、装置保持要素３００を背中上
部に対応するように配置することは、装置保持要素３００（及びそれにより保持されるモ
ニター装置５００）によるアスリートの動きへの干渉を最小限にする。いくつかの例示的
な実施形態において、装置保持要素３００は、着用者の背中上部以外に対応するように配
置される。装置保持要素３００は、布地層１００上の任意の場所に配置できる。例えば、
装置保持要素３００は、着用者の背中下部、胸部、横腹、肩、腕、脚、臀部、足、首また
は頭に対応するように配置しても良い。
【００６８】
いくつかの例示的な実施形態において、装置保持要素３００はポケット以外のものであ
る。例えば、装置保持要素は、マウント、スナップ、ひも、ボタン、格子（lattice）、
またはクリップを含み得る。装置保持要素３００は、様々な方法でモニター装置５００を
保持して良く、例えば、モニター装置５００は、装置保持要素３００内に配置されたり、
装置保持要素につながれたり、装置保持要素からぶら下げたり、あるいは装置保持要素内
に取り付けたりして良い。装置保持要素３００は、図２に示すように布地層１００の外側
上に配置されて良い。いくつかの例示的な実施形態において、装置保持要素３００は、布
地層１００の外側上以外に配置される。例えば、装置保持要素３００は、布地層１００の
内側上に配置したり、布地層１００と一体化させても良い。いくつかの例示的な実施形態
において、布地層１００は複数の層を含む。このような実施形態において、装置保持要素
３００は、布地層１００の層と層の間、外側層または内側層の上面上、あるいは、外側層
または内側層の底面上に配置して良い。図１３、１５及び２０〜２３は、後で述べるよう
な装置保持要素３００の更なる例示的な実施形態を図示する。
【００６９】
図２に示すように、例えば、装置保持要素３００は、モニター装置５００の挿入及び取
り外しのための開口部３２０を含み得る。いくつかの実施形態において、開口部３２０は
、例えばジッパー、面ファスナー、ひも、スナップ、ボタン、またはその他の好適な閉じ
要素によって閉めることができる。装置保持要素は穴３３０を含み得、これは、装置保持
要素３００によって保持されている間、モニター装置５００の一部を見るための窓を提供
し得る。例えば、モニター装置５００が表示部及び／またはコントロール５３０（例えば
ＬＣＤ（液晶表示）、ＬＥＤ（発光ダイオード）表示、個々のＬＥＤ、電子インク、スイ
ッチ、またはボタン）を含む場合、穴３３０は表示部及び／またはコントロール５３０へ
のアクセスを提供し得る。
【００７０】
装置保持要素３００は、図２の例示的な実施形態におけるもののような支持要素３１０
を含み得、これは、例えば、動きに対する耐性の増加、安定性の増加、及び耐摩耗性の増
加により、装置保持要素３００の支持を提供し得る。支持要素３１０はまた、装置保持要
素３００内における、またはそれに対するモニター装置５００の位置を維持するのに役立
ち得る。
【００７１】
図２の例示的な実施形態において、支持要素３１０は、装置保持要素３００の外側表面
上にパターン形成されたＴＰＵ（熱可塑性ポリウレタン）層である。このような支持要素
３１０は、装置保持要素３００上に、またはその中に積層され得る。いくつかの例示的な
実施形態において、支持要素３１０は、装置保持要素３００上にプリントされて良く、ま
たは装置保持要素３００に一体化された弾性の（例えばゴムの）バンドであっても良い。
図２において、支持要素３１０は、開口部３２０の周囲の領域を特に支持する。これは、
モニター装置５００を繰り返し挿入したり取り出したりする結果生じ得る開口部３２０の
周囲の摩耗を最小限にするのに役立ち得る。支持要素３１０は、図２の例示的な実施形態
のように、装置保持要素３００の縦部分を特に支持する縦バンド３１２を含み得る。これ
は、モニター装置５００の縦方向の動きを最小限にするのに役立ち得、それは、着用者の
運動活動中、例えばランニング等による相当な縦方向の力がモニター装置５００にかかる
場合に望ましいものであり得る。支持要素３１０は、開口部３２０の周囲に配置される開
口部支持要素３１４を更に含み得、これは、支持を提供し、及び／またはその領域へのア
クセスを容易にし得る。
【００７２】
図２の例示的な実施形態において、支持要素３１０は、装置保持要素３００の外側表面
を部分的に覆うのみである。いくつかの例示的な実施形態において、支持要素３１０は、
装置保持要素３００の外側及び／または内側表面を完全に覆う。
【００７３】
装置保持要素３００は、様々な実施形態に従って提供され得る。１つの例示的な実施形
態において、図１３に示すように、装置保持要素３００は、スペーサー要素３４０を含む
ポケットを含み得る。これについては後でより詳しく述べる。１つの例示的な実施形態に
おいて、図１５に示すように、装置保持要素３００は、そこを通してモニター装置５００
を受け入れるための細長い開口部としての開口部３２０と、例えば図２６に示す表示部及
び／またはコントロール５３０のようなモニター装置５００の特徴に対応するように構成
された１つ以上の穴３３０と、を含むポケットを含み得る。１つの例示的な実施形態にお
いて、図２０に示すように、装置保持要素３００は、モニター装置の特徴を見せるような
大きさ及び配置にされた開口部３２０を含むポケットを含み得る。図２０の例示的な実施
形態において、装置保持要素３００は穴３３０を含まない。１つの例示的な実施形態にお
いて、図２１に示すように、装置保持要素３００は、モニター装置５００を適所に保持す
るように構成された弾性バンド３５０を含み得る。図２１の例示的な実施形態において、
弾性バンド３５０のバンド間のスペースは穴３３０の役割を果たし得る。１つの例示的な
実施形態において、図２２に示すように、装置保持要素３００はひも３６０を含み得る。
図２２の例示的な実施形態において、モニター装置５００は複数のひも３６０の間の開口
部３２０を通じて挿入でき、装置保持要素３００内にモニター装置５００が所望の通りぴ
ったりフィットするように、ひもを締めたり緩めたりできる。１つの例示的な実施形態に
おいて、図２３に示すように、装置保持要素３００は網状の覆い３７０を含み得、これは
、開口部３２０を通じた装置保持要素３００の側面へのアクセスを提供する。
【００７４】
センサ衣服１０は、運動活動のセッション中にアスリートによって着用され得る。この
ような活動中、装置保持要素３００に保持されるモニター装置５００は、アスリートの動
きにより様々な種類の入射力にさらされ得る。いくつかの例示的な実施形態において、装
置保持要素３００はスペーサー要素３４０を含み、これは、モニター装置５００と着用者
の間の詰め物を提供し、モニター装置５００の動きを抑制及び制御するのを助け、モニタ
ー装置５００への衝撃及び／またはせん断力を減じ、モニター装置５００において、また
はその近くに衝撃があった場合の着用者の怪我を最小限にとどめることができる。図１３
及び１４に示すように、いくつかの例示的な実施形態において、装置保持要素３００がポ
ケットである場合、スペーサー要素３４０は、ポケットの内側またはポケット上に配置さ
れ得、例えば、ポケットの内側領域とセンサ衣服１０の着用者との間に配置されるように
構成される。スペーサー要素３４０は、少なくとも片面が布地層１００とつながっていて
良い。スペーサー要素３４０は、立体的なメッシュまたは発泡体であって良く、せん断力
を抑制し、それによりモニター装置５００への入射力を最小限にし、衣服１０の着用者の
不快感を最小限にすることができる。
【００７５】
いくつかの例示的な実施形態において、モニター装置５００は、センサ４００からデー
タを受信するように構成され、センサ４００は、モニター装置５００内に含まれても良く
、または、モニター装置５００から分離した異なるものであっても良い（例えば布地層１
００またはセンサ衣服１０の着用者とつながっている）。いくつかの例示的な実施形態に
おいて、例えば図３及び４に図示するもののように、例えば、センサ衣服１０は、センサ
衣服１０の着用者の背中上部に配置されモニター装置５００を保持するように構成された
装置保持要素３００を含み得、着用者の胴体の側面に近接して配置されるように構成され
たセンサ４００を含み得る。センサ衣服１０は、所望するだけの、または必要なだけの任
意の好適な数または種類のセンサ４００を含み得る。例えば、センサ衣服１０は、着用者
の心拍数（例えばＥＣＧ（心電計）信号）、呼吸速度、体温、位置、加速、距離、向き、
速度、方向、方角、酸素レベル、または水和反応を検出するように構成されたパフォーマ
ンスセンサ４００、生理学的センサ４００、またはその他のセンサ４００を含み得る。こ
のようなセンサ４００は、例えば電極、心拍数モニター（例えばＥＣＧセンサ）、磁力計
、呼吸センサ、光センサ（例えば着用者の環境に関する情報を提供する、またはそれと相
互作用する）、圧力センサ（例えば衝撃または衝突を測定する）、熱電温度計、ＧＰＳ（
全地球測位システム）センサ、反響定位センサ、ＲＦＩＤ（無線自動識別）センサ、ビー
コンセンサ、加速度計、ジャイロスコープ、コンパス、生体力学的センサ、任意のその他
の好適なセンサ、あるいはそれらの任意の組み合わせを含み得る。
【００７６】
生体力学的センサは、例えば図４７に示すように、伸縮性導電性要素４１５を有する伸
縮センサ４０５（例えば広い反射領域を有し得る着用者の体の一部、例えば肘、膝、肩ま
たは足等に対応するように構成された領域においてセンサ衣服１０から分離している、ま
たはそこに含まれる）を含み得る。伸縮性導電性要素４１５は、例えば、伸縮性ワイヤー
（例えば弾性核の周囲に巻かれるワイヤー）、例えばジグザグ、正弦曲線、またはループ
のパターンの伸縮性パネルに含まれる非伸縮性ワイヤー、あるいは導電性ポリマー、ある
いは導電性布であって良く、後で更に詳細を述べる。伸縮性導電性要素４１５の変形は、
伸縮性導電性要素４１５の抵抗の変動に基づいて感知され得、着用者の体の動き（例えば
動きの発生、大きさ、速度または方向）の決定に使用され得る。いくつかの例示的な実施
形態において、このような抵抗の変動は、伸縮性導電性要素４１５に隣接して配置され直
接取り付けられる抵抗センサ／フィルター４２５において感知され、ハーネス２００経由
でモニター装置５００に伝えられる。
【００７７】
例示的なセンサ４００及びその潜在的使用の更なる例は、共同所有の米国特許出願番号
号（代理人整理番号２４８３．１８７０００、発明の名称：グループパフォーマン
スをモニタリングするシステム及び方法）において見ることができ、この開示内容は、そ
の全体を引用することによって本明細書の一部となす。いくつかの例示的な実施形態にお
いて、センサ４００は、センサ衣服１０の一部を形成しても良く、布地層１００内に一体
化されてもそれに取り付けられても良い。いくつかの例示的な実施形態において、センサ
４００は、センサ衣服１０から分離してそこにつなげられるように適合されても良い。い
くつかの例示的な実施形態において、センサ４００は受信器であって良く、離れているセ
ンサまたは送信器からの信号を受信するためのアンテナ４５０の役割を果たし得る。例え
ば、そのような実施形態において、受信器は、着用者が飲み込んだ中核体温センサからの
信号を受信するように構成されても良く、例えば図４３に示すように、脊椎からはずれた
着用者の背中の中心に対応するように配置して良い。いくつかの例示的な実施形態におい
て、センサ４００は、例えば図３８に示すように、スピーカー及び／またはマイクロホン
４６０を含むか、またはそれにつながれて良い。スピーカー及び／またはマイクロホン４
６０は、離れた装置及びモニター装置５００との間で音声情報を送信または受信し得る。
スピーカー及び／またはマイクロホン４６０は、センサ衣服１０の着用者と着用者から離
れている人物との間の通信を可能にし得る。
【００７８】
アンテナ４５０は、モニター装置５００から分離していてもそこに一体化していても良
い。アンテナ４５０がモニター装置５００から分離している実施形態において、アンテナ
４５０は布地層１００につながれていて良い。アンテナ４５０は、例えばモニター装置５
００と離れているセンサまたは送信器との間で信号を無線で送信及び受信することにより
、これらの要素間の通信を容易にするように構成されて良い。アンテナ４５０は、例えば
巻かれたまたは包まれた導線、導電性布、導電接着剤、導電糸、導電性ポリマー、または
プラスチック上にプリントされた銀インクで形成されて良い。いくつかの例示的な実施形
態において、アンテナ４５０は、保持要素によって布地層１００（またはセンサ衣服１０
の任意の部分）につなげられ、保持要素は、例えば本明細書に記載の装置保持要素３００
に類似のものであって良い。いくつかの例示的な実施形態において、アンテナ４５０は、
縫い付けられる、積層される、接着される、超音波によって接着される、またはプリント
されることにより、布地層１００（またはセンサ衣服１０の任意の部分）につなげられる
。いくつかの例示的な実施形態において、詰め物がアンテナ４５０に近接して含まれ、こ
の詰め物は、アンテナ４５０を保護し、センサ衣服１０の着用者の不快感を減じ得る。詰
め物は、例えばスペーサー要素３４０の材料（本明細書に記載）、またはポリマー（例え
ば柔らかいシリコーン）等の任意の好適な詰め物であって良い。
【００７９】
センサ４００は、その種類によっては、センサ衣服１０の着用者の肌に接触するように
構成されるようにセンサ衣服１０内に配置されても良い。いくつかの例示的な実施形態に
おいて、センサ４００の少なくとも一部は、着用者の体に対するセンサ衣服１０の残りの
部分の動きから分離している。活動中に着用者の体が動くと、それに応じてセンサ衣服１
０の全部または一部が動く。着用者の体に対するセンサ４００の一部の望ましくない動き
を最小限にするために、センサ４００の一部を、後で述べるように、ハーネス２００とセ
ンサ４００の一部の間の相対的な動きを可能にする技術を用いて、着用者の体に固定し、
ハーネス２００につなげるようにしても良い。センサ４００の少なくとも一部が布地層１
００とは対照的に着用者の体に固定されるので、センサ４００の一部は衣服の動きにさら
されないでおける。これは、確実で一貫した肌への接触及び着用者に対するポジショニン
グの維持の助けとなり得る。例えば、いくつかの例示的な実施形態において、センサ４０
０は、ぶら下げることによりセンサ衣服１０の残りの部分（例えばハーネス２００）につ
ながれる。ぶら下がっているセンサ４００は、ハーネス２００への接続（例えば延長ワイ
ヤー接続）においていくらかのたるみを有しても良く、それにより、センサ４００とハー
ネス２００の間の相対的な動きを可能にする。ぶら下がっているセンサ４００は、例えば
吸着力、テープ、または粘着性物質により着用者の肌につなげても良い。この方法におい
て、いくつかの実施形態においては、センサ４００の一部はセンサ衣服１０の動きに対し
て固定されて良く（そして着用者の体に対して動いて良く）、また、センサ４００の一部
はセンサ衣服１０に対して動いても良く（そして着用者の体に対して実質的に固定されて
も良い）。
【００８０】
いくつかの例示的な実施形態において、センサ４００は、例えば図２４、２５、４０及
び４１に示すようにバンド４２０に組み込まれ、これは弾力性を有し、着用者の胸部また
はその他の解剖学的特徴を囲むように構成されても良い。図２４、２５、４０及び４１の
例示的な実施形態において、センサ衣服１０は図示しやすいように裏返しに示している。
いくつかの例示的な実施形態において、このようなバンド４２０は布地層１００に取り付
けられて良い（例えば、センサ４００はセンサ衣服１０の内側支持層（例えばバンド４２
０）に取り付けられて良く、これは、例えば図４０に示すように布地層１００と一体化さ
せても良く、または例えば図４１に示すように別々のポイントにおいて布地層１００に取
り付けられても良い）。いくつかの例示的な実施形態において、このようなバンド４２０
は布地層１００から独立していて良い（例えば、センサ４００は、布地層１００の下に着
用できるブラジャーのような衣服に一体化させても良く、そのセンサは、ハーネス４００
につながるように構成されて良い）。
【００８１】
センサの種類、衣服の種類、美的感覚、及び製造の考慮を含む様々な要因によっては、
センサ４００は、装置保持要素３００に対して様々な位置に配置されて良く、布地層１０
０上またはその中（例えば着用者の胴体、背中、横腹、腕または首に対応するように構成
された布地層の領域上）の、あるいはそこから離れた任意の好適な位置に配置されて良い
。いくつかの例示的な実施形態において、モニター装置５００が装置保持要素３００によ
って保持されている場合、センサ衣服１０は、センサ４００を装置保持要素３００及びモ
ニター装置５００に接続するためのハーネス２００を含む。
【００８２】
ハーネス２００は、図１に示すように、例えばデータを電子的に通信できる導電性要素
２１０と、ハーネスガイド部分２２０と、を含み得る。導電性要素２１０は、例えば図３
及び４に示すように１つまたは複数の終端点を含み得る。例えば、導電性要素２１０は、
第１終端点２１２、第２終端点２１４及び第３終端点２１６を含み得る。これらの終端点
の構成は、後で述べるように様々であって良い。ハーネスガイド部分２２０は、例えば図
１７に示すように複数の層を含み得る。例えば、ハーネスガイド部分２２０は、後で述べ
る第１層２２２、第２層２２４及び織物層２２６を含み得る。いくつかの例示的な実施形
態において、導電性要素２１０は、ハーネスガイド部分２２０の層と層の間に配置される
。
【００８３】
いくつかの例示的な実施形態において、ハーネス２００は、衣服１０の布地層１００の
表面と一体化して、またはその上に配置されて良い。図１の例示的な実施形態において、
センサ衣服１０は図示しやすいように裏返しに示している。このように、通常の使用にお
いては、図１の例示的な実施形態のハーネス２００は、センサ衣服１０の布地層１００の
内側表面上に配置されることになる。いくつかの例示的な実施形態において、ハーネス２
００は、布地層１００の内側表面上またはそれに隣接して配置されても、布地層１００の
外側表面上またはそれに隣接して配置されても、布地層１００と一体化されても良い。ハ
ーネス２００は、例えば接着剤、縫い付け、溶着や積層を含む任意の好適な技術によって
布地層１００につながれて良い。図面全体を通じて、センサ衣服１０は裏返しまたは裏返
しではなく図示されていると解釈できる。
【００８４】
導電性要素２１０は、例えば図２９に示すようにセンサ４００と、そしてモニター装置
５００と接続するように構成されても良く、データをセンサ４００からモニター装置５０
０に送信するように構成されても良い。これを達成するために、導電性要素２１０は、セ
ンサ４００及びモニター装置５００に対応する終端点を含み得る。例えば図３、４及び３
４に示すように、導電性要素２１０は、モニター装置５００に接続するように構成された
第１終端点２１２と（例えば図４、６、８及び１２参照）、センサ４００に接続する第２
終端点２１４と、別のセンサ４００に接続する第３終端点２１６と、を含み得る。各終端
点は、終端点における導電性要素２１０の構成に応じて単一または複数の端子接続を含み
得る。終端点が複数の端子接続を有する場合、これらの接続には、追加の部品との適切な
接続を容易にするためにラベルを付けても良い。例えば、モニター装置５００に接続する
ように構成された終端点は、センサ衣服１０のそれぞれ左と右に配置されるセンサに対応
することを示す「左」及び「右」のラベルが付けられた２つの端子接続を含み得る。ハー
ネス２００の導電性要素２１０は、センサ４００及びモニター装置５００の配置に適合す
る任意の好適な数及び配置の終端点を含み得る。
【００８５】
ハーネス２００のガイド部分２２０は、例えば図１、３及び４の例示的な実施形態に示
すように、終端点と終端点の間で導電性要素２１０をガイドし得る。いくつかの例示的な
実施形態において、ガイド部分２２０は、第１層２２２及び第２層２２４から形成され、
第１層２２２及び第２層２２４は、例えば図１７の例示的な実施形態に示すように、間に
導電性要素２１０をはさんでつながれるように構成される。いくつかの例示的な実施形態
において、第１層２２２及び第２層２２４のうちの片方または両方が接着性層である。い
くつかの例示的な実施形態において、ハーネス２００は、ガイド部分２２０につながって
いる織物層２２６を含む。織物層２２４は、弾性を有し、センサ衣服１０の内側に対応す
るように配置して良く、それによりハーネス２００が原因の着用者の不快感を減じること
ができる。
【００８６】
いくつかの例示的な実施形態において、例えば図３及び４に示すように、ハーネス２０
０は、布地層１００に直接固定された第１ハーネス部分２３０と、布地層１００への固定
から少なくとも部分的に自由な第２ハーネス部分２４０と、を含む。第２ハーネス部分２
４０は、「ブリッジ」と呼ばれ得る。いくつかの例示的な実施形態において、布地層１０
０に対する第２ハーネス部分２４０の動きは、布地層１００に取り付けられ第２ハーネス
部分２４０の周りをループするループ２４２によって制約され得る。第２ハーネス部分２
４０は、ハーネス２００の直接固定への導電性を有さないセンサ衣服１０の領域にわたっ
てのセンサ４００とモニター装置５００間の通信を可能にするために特に有用であり得る
。例えば、いくつかの例示的な実施形態において、ハーネス２００は、布地層１００が弾
性を有する領域における布地層１００への直接固定に最適であり得る。センサ衣服１０の
柔軟性のない部分の異なる側に配置されたセンサ衣服１０の要素と要素の間の接続を維持
するために、ハーネス２００は、例えばセンサ衣服１０の柔軟性のない部分をブリッジす
るための第２ハーネス部分２４０を含んで良く、それにより、センサ衣服１０の柔軟性の
ない領域に直接固定する必要無しに、センサ衣服１０の要素を接続することができる。セ
ンサ衣服１０の布地層１００は、所望のフィット感及び美的感覚を得るため、または、例
えばチームのジャージにおけるチームロゴ、スポンサーロゴやプレイヤーの番号等のグラ
フィックが歪まないようにするために、柔軟性のある、及び柔軟性のない材料のパネルを
含んでいて良い。
【００８７】
ハーネス２００の経路は、様々な必要条件や所望事項に適合するように構成されて良い
。例えば、いくつかの例示的な実施形態において、ハーネス２００は、グラフィックやプ
リントの美的感覚や製造における妨げにならないよう、そのようなグラフィックやプリン
トを含まない、または含む予定の無いセンサ衣服１０の領域のみをカバーするように経路
が設定されて良い。
【００８８】
いくつかの例示的な実施形態において、第２ハーネス部分２４０は、そのようなグラフ
ィックやプリントの上を「ブリッジ」しても良い。いくつかの例示的な実施形態において
、ハーネス２００は、例えば製造を単純化したりセンサ衣服１０の耐久性を維持したりす
るために、センサ衣服１０の継ぎ目を横断したり妨げたりしないように経路が設定されて
良い。いくつかの例示的な実施形態において、ハーネス２００は、センサ衣服１０の継ぎ
目に組み込まれたり、あるいは継ぎ目に沿って伸びても良い。
【００８９】
いくつかの例示的な実施形態において、例えば図３、４、１１及び１２に示すように、
ハーネス２００は、着用者の背中上部に配置されるように構成された第１終端点２１２か
ら背中を下り、センサ衣服１０の片側を回って、着用者の一方の側に配置されるように構
成された第２終端点２１４に到達し、センサ衣服１０の前面を横切って、着用者のもう一
方の側に配置されるように構成された第３終端点２１６まで伸びる。
【００９０】
いくつかの例示的な実施形態において、例えば図５〜８に示すように、ハーネス２００
は、着用者の背中上部に配置されるように構成された第１終端点２１２から肩の後ろに沿
って伸び、センサ衣服１０の片側を回って、着用者の一方の側に配置されるように構成さ
れた第２終端点２１４に到達し、センサ衣服１０の前面を横切って、着用者のもう一方の
側に配置されるように構成された第３終端点２１６まで伸びる。
【００９１】
いくつかの例示的な実施形態において、例えば図１、２４及び２５に示すように、ハー
ネス２００は、着用者の背中上部に配置されるように構成された第１終端点２１２からセ
ンサ衣服１０の肩領域の上を通ってセンサ衣服１０の前面まで伸び、先が分かれて、着用
者のそれぞれの側に配置されるように構成された終端点２１４及び２１６に到達する。
【００９２】
いくつかの例示的な実施形態において、例えば図４５及び４６に示すように、ハーネス
２００は、着用者の背中上部に配置されるように構成された第１終端点２１２から背中を
下り、そこで２つの部分に分かれてセンサ衣服１０のそれぞれの側を回って伸び、一方の
部分が、着用者の一方の側に配置されるように構成された第２終端点２１４まで伸び、も
う一方の部分が、着用者のもう一方の側に配置されるように構成された第３終端点２１６
まで伸びる。
【００９３】
いくつかの例示的な実施形態において、例えば図３０及び３１に示すように、ハーネス
２００は、装置保持要素３００の左側及び右側に配置される２つの第１終端点２１２のそ
れぞれから２つの部分のそれぞれが伸びる。装置保持要素３００は、センサ衣服１０の背
中上部領域に配置して良い。ハーネス２００の一方の部分は、左肩の後ろに沿って伸び、
左腕の下を通って第２終端点２１４まで伸びて良く、もう一方の部分は、右肩の後ろに沿
って伸び、右腕の下を通って第３終端点２１６まで伸びて良い。
【００９４】
いくつかの例示的な実施形態において、例えば図４７に示すように、ハーネス２００は
、装置保持要素３００の左側及び右側に配置される２つの第１終端点２１２のそれぞれか
ら２つの部分のそれぞれが伸びる。装置保持要素３００は、センサ衣服１０の背中上部領
域に配置して良い。ハーネス２００の一方の部分は、左肩の後ろに沿って、そして左腕に
沿って、センサ衣服１０の左肘領域に配置される第２終端点２１４まで伸びて良く、もう
一方の部分は、右肩の後ろに沿って、そして右腕に沿って、センサ衣服１０の右肘領域に
配置される第３終端点２１６まで伸びて良い。
【００９５】
いくつかの例示的な実施形態において、例えば図３５に示すように、ハーネス２００は
、装置保持要素３００の左側及び右側に配置される２つの第１終端点２１２のそれぞれか
ら２つの部分のそれぞれが伸びる。装置保持要素３００は、２つのセンサ４００の間にあ
るセンサ衣服１０の前面中央領域に配置して良い。ハーネス２００の一方の部分は、左側
を第２終端点２１４まで伸びて良く、もう一方の部分は、右側を第３終端点２１６まで伸
びて良い。
【００９６】
いくつかの例示的な実施形態において、例えば図３６に示すように、ハーネス２００は
、装置保持要素３００の左側及び右側に配置される２つの第１終端点２１２のそれぞれか
ら２つの部分のそれぞれが伸びる。装置保持要素３００は、２つのセンサ４００の間にあ
るセンサ衣服１０の後面中央領域に配置して良い。ハーネス２００の一方の部分は、右側
を第２終端点２１４まで伸びて良く、もう一方の部分は、左側を第３終端点２１６まで伸
びて良い。
【００９７】
いくつかの例示的な実施形態において、例えば図３７に示すように、ハーネス２００は
、装置保持要素３００に配置される第１終端点２１２から伸びる。装置保持要素は、セン
サ衣服１０のサイド領域に配置されて良い。ハーネス２００は、センサ衣服１０の前面の
一方の側の第２終端点２１４まで伸び、第２終端点２１４からセンサ衣服１０の前面を横
切って、センサ衣服１０の前面のもう一方の側の第３終端点２１６まで伸びて良い。
【００９８】
ハーネス２００の形及び経路は、モニター装置５００やセンサ４００の様々な位置を含
む多様な特別の必要条件や所望事項に適合するように、変化させて良い。例えば、着用者
の前部またはサイドにおけるセンサ４００へ経路を定めるよりも、ハーネス２００は、着
用者の胸部または背中に配置されたセンサ４００（例えば、着用者の胸部の真ん中に配置
されるように構成された心拍数センサ）に対応するように、着用者の胸部または背中領域
へ経路を定めても良い。いくつかの例示的な実施形態において、例えば図１、５及び３０
に示すように、センサ４００は、着用者の前部に位置する着用者のサイド領域に対応する
ように配置される。いくつかの例示的な実施形態において、例えば図３２及び３３に示す
ように、センサ４００は、センサ衣服１０の最端のサイド領域に配置される。いくつかの
例示的な実施形態において、例えば図３６に示すように、センサ４００は、センサ衣服１
０の後面のサイド領域に配置される。
【００９９】
センサ４００は、様々な必要条件や所望事項に適合するように、様々な形及び大きさを
有して良い。いくつかの例示的な実施形態において、複数のセンサ４００のうちのいくつ
かまたは全ての動作については、着用者の肌への接触が有効であり得る。そのような例示
的な実施形態において、センサ４００は、接触させることを意図する着用者の肌の特定の
領域の解剖学的形及び大きさに対応するような形及び大きさにできる。いくつかの例示的
な実施形態において、肌への接触を最適にするために、センサ４００は、ブラシのような
センサであったり（例えばセンサ４００への潜在的な接触ポイントを複数提供するための
、センサから伸びる複数の接触要素を有するセンサ）、支えられていたり（例えば、セン
サと布地層１００の間の裏当て材によって支持されたセンサであって、裏当て材により、
センサが着用者の肌に対して布地層から伸びやすいようになり、裏当て材は、例えばスペ
ーサー要素３４０の材料や、眠るときの枕によく使用される厚く弾力のあるポリエステル
繊維充填材であって良い）、または粘着性のある領域を含んでいて良い（例えば、センサ
４００の周囲が粘着性を有する）。いくつかの例示的な実施形態において、センサ４００
の肌への接触を最適にするために、布地層１００の内側表面は、付着するセンサ４００の
周囲に粘着性を有する領域を含んで良く、または、着用者の肌に自然に付着するように構
成されたセンサ４００の周囲の領域を含んでも良い（例えばシリコーンのパネル）。いく
つかの例示的な実施形態において、センサ衣服１０は、センサ衣服１０（例えばコンプレ
ッションシャツ）のタイトフィットにより、センサ４００と着用者の肌の間の接触を維持
するように構成される。いくつかの例示的な実施形態において、いくつかまたは全てのセ
ンサ４００は着用者の肌と接触する必要がなく、肌と接触しないように配置されて良い。
【０１００】
ハーネス２００は、使用中に変形や伸びを引き起こす力にさらされても良い。ハーネス
２００は、伸縮性を有し、そのような力を弾性的に受け入れることができるように、弾性
材料でできていて良い。例えば、第１層２２２、第２層２２４及び織物層２２６の各々は
、弾性材料でできていて良い。また、いくつかの例示的な実施形態において、導電性要素
２１０は弾性を有していて良い。ハーネス２００は、例示的な実施形態に従い、伸縮性、
耐久性及び応力解放性を発揮する。当業者には明らかになるであろうが、これらの特性は
、様々な必要条件や適用に合わせて調節したり最適化したりできる。いくつかの例示的な
実施形態において、ハーネス２００は、布地層１００と実質的に同等の弾性を有する。い
くつかの例示的な実施形態において、ハーネス２００は、布地層１００よりも大きな弾性
を有する。いくつかの例示的な実施形態において、ハーネス２００は、布地層１００より
も小さな弾性を有する。いくつかの例示的な実施形態において、ハーネス２００は、着用
者の体に適合するのに十分な弾性を有し、それによりセンサ４００の着用者の体との接触
を促進する。
【０１０１】
いくつかの例示的な実施形態において、ハーネス２００は、着用者によるセンサ衣服１
０の着脱により生じる伸張に耐えるのに十分な弾性を有する。いくつかの例示的な実施形
態において、ハーネス２００は、どの方向にも変形したままになること無く、伸びていな
い時の長さの２０〜１００％まで伸びるように構成される。いくつかの例示的な実施形態
において、ハーネス２００の異なる部分はそれぞれ、変形したままになること無く、伸び
ていない時の長さの異なる割合まで伸びるように構成される。例えば、センサ衣服１０の
襟足の周囲に配置されるハーネス２００の一部は、伸びていない時の長さの２０〜３０％
まで伸びるように構成されて良く、一方で、ハーネス２００のＹ字型のネック等の部分や
、センサ衣服１０の胸部や胴体中程の領域に配置されたハーネス２００の一部は、８０〜
１００％まで伸びるように構成されて良い。いくつかの例示的な実施形態において、ハー
ネス２００の一部は、垂直方向よりも体を横切る方向により長く伸びるように構成されて
良く、その逆でも良い。
【０１０２】
いくつかの例示的な実施形態において、布地層１００は、着用者の体に適合するのに十
分な弾性を有し、それによりセンサ４００の着用者の体との接触を促進する。いくつかの
例示的な実施形態において、布地層１００は、布地層１００の他の部分よりも大きな弾性
を有する部分を含み、そのより大きな弾性を有する部分は、ハーネス２００が布地層１０
０につなげられる領域に対応していて良い。いくつかの例示的な実施形態において、セン
サ衣服１０（特に導電性要素２１０、粘着性第１層２２２、第２層２２４、織物層２２６
、及び／または布地層１００）の伸張及び弾性特性は、耐久性、運動の自由度、及びセン
サ衣服１０の着脱を促進するように構成される。
【０１０３】
導電性要素２１０は、例えば図１、１７及び３４示すように、導電性のワイヤーまたは
糸、例えば、複数のより糸の個々に絶縁された柔軟性の高いマイクロワイヤー（例えば銀
でコーティングされたナイロンや弾性核が導電性材料で囲まれた複合材料）、導電性の銀
の糸、絶縁された導電性ワイヤー等が、ジグザグ、ループ、蛇行または正弦曲線のパター
ンに配置されたものを含み得る。柔軟性を高めるために、パターンは、導電性要素２１０
が終端点や他のハーネス２００においてより大きな伸縮性が必要または所望である場所に
近づくにつれて、より小さい大きさまたはより高い頻度（例えば距離の単位毎のピークま
たはループの）を採用して良く、耐久性を維持するために、ハーネス２００のその他の領
域においてより大きな大きさまたは頻度を維持して良い。１つの実施形態において、例え
ば図１７及び３４に示すように、導電性要素２１０の正弦曲線のパターンは、導電性要素
２１０の端部近くでより高い頻度及びより小さな大きさを有して良く、導電性要素２１０
の中間部に沿ってより低い頻度及びより大きな大きさを有して良い。より高い頻度及びよ
り小さな大きさを有する部分は、モニター装置５００またはセンサ４００につなげられる
ように構成されたハーネス２００の一部、あるいは着脱や着用において最も大きな圧力を
受けるハーネス経路の領域に対応して良い。このような部分は、高められた伸縮性及びそ
れにより得られる張力緩和という利益を享受することができる。
【０１０４】
センサ衣服１０は、着用者の活動中に動いたり伸縮したりして良く、導電性要素２１０
とセンサ４００またはモニター装置５００間の接続は圧力をかけられても良い。これらの
領域において柔軟性及び弾性が高まることは、このような圧力を最小限にする助けとなり
得る。より低い頻度及びより大きな大きさを有する部分は、柔軟性及び追加的要素への接
続の維持の重要性がより低い、着用者の腕の下または上に配置されるように構成されたハ
ーネス２００の一部に対応して良い。１つの例示的な実施形態において、例えば図１に示
すように、導電性要素２１０の正弦曲線のパターンは、導電性要素２１０が第２終端点２
１４及び第３終端点２１６に近づくにつれて直線に移行して良い。導電性要素２１０のパ
ターンの性質は、様々な必要条件や所望事項に適合するように様々であって良い。しかし
、導電性要素２１０にかかる圧力や疲労を減じるためには、ハーネス２００全体を通じて
ある程度のレベルの柔軟性を有することが有益であり得、それによりハーネス２００の耐
用年数が長くなり得る。
【０１０５】
導電性要素２１０は、結合された第１層２２２と第２層２２４の間でパターン化して良
い。ハーネス２００は、別々の終端点へと分かれる前の類似の経路を有する領域において
それぞれが平行に配置されるか、またはお互いに巻きつけられて配置される、２つ以上の
導電性要素２１０を含み得る。例えば、図１及び２９は平行な導電性要素２１０を図示し
、図４０はお互いに巻きつけられている導電性要素２１０を図示している。特にお互いに
巻きつけられている場合、導電性要素２１０同士が近接していることにより、それらによ
り送信される信号の質が改善され得る。いくつかの例示的な実施形態において、層２２２
及び２２４は、片側または両側に接着剤が塗布された布地またはプラスチック材であって
良く、あるいは、例えば互いに接着された、または接着が可能なＴＰＵフィルム等の任意
の単一の材料または複数の材料であって良い。いくつかの例示的な実施形態において、ハ
ーネス２００は、布地層１００に付着する単一の接着性層、例えば第１層２２２を含む。
このような実施形態において、導電性要素２１０は第１層２２２と布地層１００の間に配
置されて良い。いくつかの例示的な実施形態において、ハーネス２００は布地層１００上
にスクリーン印刷されて良い。例えば、絶縁層（例えばＴＰＵ）が布地層１００上にスク
リーン印刷されて第１層２２２を形成して良く、導電性材料（例えば導電性ＴＰＵ）が絶
縁層上にスクリーン印刷されて導電性要素２１０を形成して良く、別の絶縁層が第１層２
２２及び導電性要素２１０の上にスクリーン印刷されて第２層２２４を形成して良い。
【０１０６】
ハーネスを作るために、いくつかの例示的な実施形態において、第１層２２２は第２層
２２４と共に積層され、導電性要素２１０がその間に配置される。いくつかの例示的な実
施形態において、織物層２２６が、第１層２２２、第２層２２４及び導電性要素２１０と
共に積層される。積層は、熱及び圧力を適用すること、例えば図１７に示すようにヒート
プレス６００を使用することにより完成させることができる。ピン６１０は、ヒートプレ
ス６００の底板６２０の様々な位置に挿入されて良く、第１層２２２、第２層２２４及び
織物層２２６における対応する穴と位置を合わせて良い。ピン６１０は、底板６２０内に
引っ込めることができても良い。いくつかの例示的な実施形態において、第２層２２４は
、底板６２０上にピン６１０と位置を合わせて配置されて良く、導電性要素２１０は、第
２層２２４上で導電性要素２１０をパターン化するためのガイドとしてピン６１０を使用
して、ピン６１０近辺に配置して良い。次に、第１層２２２と、そして提供される場合は
織物層２２６が、底板６２０上に同様にピン６１０と位置を合わせて配置されて良い。次
に、第２層２２４、導電性要素２１０、第１層２２２、そして提供される場合は織物層２
２６が、上板６３０と底板６２０のうちの片方または両方から熱を適用されつつ、上板６
３０と底板６２０の間で共にプレスされて良く、それにより第１層２２２、導電性要素２
１０、第２層２２４、そして提供される場合は織物層２２６が接着されてハーネス２００
となる。いくつかの例示的な実施形態において、第１層２２２及び第２層２２４のうちの
片方または両方が、接着を補助するための接着剤を含んで良い。
【０１０７】
いくつかの例示的な実施形態において、導電性要素２１０は、自動化プロセスにより第
１層２２２と第２層２２４の間でパターン化されて良い。例えば、導電性要素２１０は、
第１層２２２及び第２層２２４のうちの１つであり得る基板上に層状にしてよく、次にロ
ーラーによって第１層２２２と第２層２２４の間でプレスして良い。例えば図１８及び１
９の例示的な実施形態において、第１層２２２と第２層２２４のシートが示されるが、２
つのローラー７１０の間のスペースに送り込まれ、ローラーが第１層２２２と第２層２２
４を一緒にプレスして接着させる。いくつかの例示的な実施形態において、接着を補助す
るために、熱、圧力及び接着剤のうちの１つ以上を適用しても良い。各層がローラー７１
０を通って供給される間、導電性要素配置ヘッド７２０が、例えば第１層２２２上に導電
性要素２１０をパターン状に配置して良い。導電性要素配置ヘッド７２０は、第１層２２
２と第２層２２４がローラー７１０を通って供給される間、横方向に動くように構成され
て良く、それにより、第１層２２２と第２層２２４の間において導電性要素２１０を様々
なパターンで配置することができる。ローラー７１０は、第１層２２２、導電性要素２１
０及び第２層２２４をまとめて適切に接着するために、適切な熱または圧力を適用するよ
うに配置及び構成されて良い。
【０１０８】
いくつかの例示的な実施形態において、導電性要素２１０は伸縮性ワイヤーであって良
い。いくつかの例示的な実施形態において、導電性要素２１０は、非伸縮性ワイヤーまた
は導電性の糸、例えば非伸縮性かつ導電性のマイクロワイヤーや導電性の織物用繊維糸等
であって良く、弾性を模倣するために、スパンデックスやその他の伸縮性を有する糸の周
囲に絡ませたり巻きつけたりして良い。
【０１０９】
いくつかの例示的な実施形態において、導電性要素２１０は、上述の通りワイヤー（例
えば伸縮性ワイヤー）であって、絶縁材料（例えば伸縮性絶縁材料）で被覆されたもので
あって良い。このような実施形態において、絶縁材料は、ハーネス２００の役目を果たし
得る。例えば、図３８及び３９の例示的な実施形態は、伸縮性絶縁材料（ハーネス２００
）で被覆された伸縮性ワイヤーとしての導電性要素２１０を図示しており、伸縮性絶縁材
料は、固定ポイント１１０において布地層１００に固定されている。このような構成によ
り、導電性要素２１０の経路が、センサ衣服１０の背に配置される装置保持要素３００に
おける第１終端点２１２から、センサ衣服１０の胸部領域に配置されるセンサ４００にお
ける第２終端点２１４まで定められる。伸縮性絶縁材料で被覆された導電性要素２１０は
、固定ポイント１１０において布地層１００に固定されることにより、これらの終端点に
導かれる。いくつかの例示的な実施形態において、例えば図４０に示すように、固定ポイ
ントを取り除くこともできる。このような実施形態において、導電性要素２１０は、特別
な経路設定を何も必要としなくとも良いか、または、例えば布地層１００とセンサ衣服１
０の着用者の間に配置されることにより、許容可能な経路を維持しても良い。
【０１１０】
いくつかの例示的な実施形態において、導電性要素２１０は、センサ衣服１０の継ぎ目
に縫い込まれたワイヤーであって良い。いくつかの例示的な実施形態において、導電性要
素２１０は、個別のポイントにおいて布地層１００につながれたワイヤーであって良く（
例えば縫ったり接着したりすることにより）、あるいはセンサ衣服への直接の結合が不要
でも良い。このような実施形態において、ハーネス２００は無くとも良く、または単に導
電性要素２１０を被覆する絶縁ジャケットを含んでも良い。
【０１１１】
いくつかの例示的な実施形態において、ハーネス２００は、布地層１００につながれて
いる、または一体化されている経路２５０を定義し、導電性要素２１０が、例えば説明し
やすいように裏返しに着用されたセンサ衣服１０を示す図４４のように、該経路を通って
伸びて良い。経路２５０は、布地層１００に対して例えば結合、接着、縫合、ポイントに
おける接続、個別のポイントにおける縫い付け、超音波溶接、またはジグザグ縫いによる
接続がされて良い。経路２５０は、例えば織物やその他の布地材料で形成されて良い。
【０１１２】
いくつかの例示的な実施形態において、導電性要素２１０は、ハーネス２００の終端点
に対応する、その他の要素と接続するための複数の終端点を含む。例えば図３及び４に示
すように、導電性要素２１０は、モニター装置５００に接続するように構成された第１終
端点２１２と、センサ４００に接続するように構成された第２終端点２１４と、別のセン
サ４００に接続するように構成された第３終端点２１６と、を含み得る。いくつかの例示
的な実施形態において、導電性要素２１０は、終端点においてモニター装置５００やセン
サ４００等の要素と取り外し可能に接続されるように構成されて良い。このような接続は
、取り外し可能接続要素、例えばプラグ、クリップ、スナップまたはラッチにより、導電
性要素２１０とそれが取り外し可能に接続するように構成された要素の間で確立されて良
い。いくつかの例示的な実施形態において、導電性要素２１０は、取り外し可能接続要素
の部品に直接的に接続されて良い。いくつかの例示的な実施形態において、導電性要素２
１０は、取り外し可能接続要素の部品に間接的に接続されて良い。例えば、導電性要素２
１０は、後で述べるように、取り外し可能接続要素の部品を含み得る、導電性織物に直接
接続して良い。
【０１１３】
いくつかの例示的な実施形態において、導電性要素２１０は、モニター装置５００やセ
ンサ４００等の追加要素と取り外し不可能に接続するように構成されて良い。いくつかの
例示的な実施形態において、このような接続は、例えば加熱や超音波溶接により、第１層
２２２と第２層２２４の間で導電性要素２１０を追加要素に付着させることにより確立さ
れて良い。いくつかの例示的な実施形態において、このような接続は、導電性要素２１０
と追加要素の間に導電性ゲル（例えば導電性エポキシ、導電性粒子（例えば銀、炭素やス
テンレス鋼）を有するシリコーン）を適用することにより確立されて良い。いくつかの例
示的な実施形態において、このような接続は、導電性織物により確立されて良い。
【０１１４】
いくつかの例示的な実施形態において、導電性要素２１０とセンサ４００の間の導電性
織物接続４１０は、導電性接着剤４１２及び導電性織物４１４を含む（図１６参照）。こ
のような接続において、導電性織物４１４は、導電性要素２１０とセンサ４００の間でブ
リッジの役割を果たす。導電性織物４１４は、例えば縫い付け、接着性フィルム、導電性
エポキシまたは導電性接着剤４１２により導電性要素２１０に接続し、例えば接着剤、縫
い付けまたは導電性エポキシによりセンサ４００に接続する。導電性織物４１４は、例え
ば金属織物メッシュ、伸縮性導電性ファイバー、硬い導電性メッシュ、導体箔または導電
性ポリマーであって良い。導電性織物４１４は、例えば、モニター装置５００への接続を
確立するのに使用されるスナップのヘッドに対応する大きさ及び／または形、導電性要素
２１０への接続を確立するのに使用される導電性接着剤４１２の量に対応する大きさ及び
／または形を含む、任意の好適な大きさ及び形であって良い。いくつかの例示的な実施形
態において、導電性要素２１０が導電性の糸である場合、該導電性の糸は、導電性織物４
１４に接続するための縫糸として使用できる。
【０１１５】
本発明を、例示的な実施形態を用いて説明してきた。よって、本発明は、上述の例示的
な実施形態のうちのいかなるものによっても制限されるべきではないが、以下の請求項及
びその相当物によってのみ定義されるべきである。
【図１】
0006470783.tif 000002
【図２】
0006470783.tif 000003
【図３】
0006470783.tif 000004
【図４】
0006470783.tif 000005
【図５】
0006470783.tif 000006
【図６】
0006470783.tif 000007
【図７】
0006470783.tif 000008
【図８】
0006470783.tif 000009
【図９】
0006470783.tif 000010
【図１０】
0006470783.tif 000011
【図１１】
0006470783.tif 000012
【図１２】
0006470783.tif 000013
【図１３】
0006470783.tif 000014
【図１４】
0006470783.tif 000015
【図１５】
0006470783.tif 000016
【図１６】
0006470783.tif 000017
【図１７】
0006470783.tif 000018
【図１８】
0006470783.tif 000019
【図１９】
0006470783.tif 000020
【図２０】
0006470783.tif 000021
【図２１】
0006470783.tif 000022
【図２２】
0006470783.tif 000023
【図２３】
0006470783.tif 000024
【図２４】
0006470783.tif 000025
【図２５】
0006470783.tif 000026
【図２６】
0006470783.tif 000027
【図２７】
0006470783.tif 000028
【図２８】
0006470783.tif 000029
【図２９】
0006470783.tif 000030
【図３０】
0006470783.tif 000031
【図３１】
0006470783.tif 000032
【図３２】
0006470783.tif 000033
【図３３】
0006470783.tif 000034
【図３４】
0006470783.tif 000035
【図３５】
0006470783.tif 000036
【図３６】
0006470783.tif 000037
【図３７】
0006470783.tif 000038
【図３８】
0006470783.tif 000039
【図３９】
0006470783.tif 000040
【図４０】
0006470783.tif 000041
【図４１】
0006470783.tif 000042
【図４２】
0006470783.tif 000043
【図４３】
0006470783.tif 000044
【図４４】
0006470783.tif 000045
【図４５】
0006470783.tif 000046
【図４６】
0006470783.tif 000047
【図４７】
0006470783.tif 000048